(57)【特許請求の範囲】
【請求項１】
２個の相互に平行な離間するローラ軸線の１個の周りにそれぞれ回転可能である２個のローラであって、これ等ローラの円周面は人の皮膚の上に設置することができ、前記ローラ軸線の横方向に延びる所定の作動方向に人の皮膚の上に２個のローラを介してマッサージ器を動かす時、少なくとも一方のローラが所定の回転方向に回転駆動される２個のローラを具え、更に、これ等２個のローラの区域にあって吸引空間を包囲している吸引室であって、人の皮膚に前記ローラを加えた時、人の皮膚に向く区域にこの吸引室が開放しており、人の皮膚を前記吸引室に引き入れて皮膚の隆起部を形成するため人の皮膚に前記ローラを加えた時、前記吸引室内に負圧を発生させるポンプに空気移送管を介して連通している吸引室を具えるマッサージ器において、空気移送管を介して前記吸引室に連通していて、負圧に応動し、その負圧の所定値に関して制御機能を遂行する制御装置を設け、前記吸引室内に所定の負圧が達成された時、前記ローラを駆動するローラ駆動装置を前記制御装置によって作動させるよう構成したことを特徴とするマッサージ器。
【請求項２】
空気移送負圧解除管を介して前記吸引室に連通する手動で操作する負圧解除弁装置を設け、前記吸引室内に発生している負圧を解除するため、前記負圧解除弁装置を作動させた時、前記吸引室によって包囲されている前記吸引空間が前記吸引室を包囲する大気に前記負圧解除弁装置によって連通され得るよう構成したことを特徴とする請求項１に記載のマッサージ器。
【請求項３】
前記負圧解除管を通じて前記吸引室に連通しており相互に対向して配置された２個の空気弁を前記負圧解除弁装置に設け、前記マッサージ器のグリップ部材の両側に配置され、前記２個の空気弁の１個をそれぞれ開く作用を有する２個の作動素子を前記マッサージ器に設けたことを特徴とする請求項２に記載のマッサージ器。
【請求項４】
モータ電源装置の一部を形成していて、所定の負圧値で電気的切換え機能を遂行する電子空気負圧スイッチによって前記制御装置を構成し、前記吸引室内に所定値の負圧が生じた時、前記電子空気負圧スイッチによって前記ローラ駆動モータをオンにし得るよう構成したことを特徴とする請求項１〜３のいずれか１項の記載のマッサージ器。
【請求項５】
前記負圧スイッチ、及び前記ポンプのおのおのが別個の空気移送管を通じて吸引室に連通していることを特徴とする請求項４に記載のマッサージ器。
【請求項６】
前記吸引室を包囲する大気に、前記ポンプと前記吸引室との間の前記空気移送管を連結する空気送給管を設け、前記吸引室側の空気送給部を通じて前記ポンプと前記吸引室との間の前記空気移送管に連通する制御可能な空気送給弁と、中心空気送給部を通じて前記制御可能な空気送給弁に連通すると共に前記吸引室の大気に連通する非制御空気送給弁とを前記空気送給管に設け、前記負圧スイッチは別個の空気移送管を通じて前記中心空気送給部に連通していることを特徴とする請求項４に記載のマッサージ器。
【請求項７】
前記吸引室側の前記空気送給部を前記吸引室の大気に連結する負圧解除管と、この負圧解除管に連通する手動操作する負圧解除弁装置とを設けたことを特徴とする、請求項４が請求項１に従属する場合の請求項６に記載のマッサージ器。
【請求項８】
前記負圧解除管は前記吸引室側の前記空気送給部を前記吸引室の大気に連結し、前記負圧解除弁装置は、この負圧解除管に連通する手動操作する負圧解除弁装置である、請求項４が請求項２又は３に従属する場合の請求項６に記載のマッサージ器。
【請求項９】
前記ローラ駆動モータのためのモータ電源装置の一部を形成している前記負圧スイッチは前記ローラ駆動モータによって駆動されるローラの過大な制動の結果としてモータ電流が所定限界値を越えると制御情報を発生し供給するモータ電流制御装置を具え、この制御情報が現れた時、前記ローラ駆動モータをオフにすることができ、前記モータ電流制御装置に接続されたモータオフ装置を前記モータ電流制御装置が具えることを特徴とする請求項４〜７のいずれか１項に記載のマッサージ器。
【発明の詳細な説明】
本発明は２個の相互に平行な離間するローラ軸線の１個の周りにそれぞれ回転可能である２個のローラであって、これ等ローラの円周面は人の皮膚の上に設置することができ、ローラ軸線の横方向に延びる所定の作動方向に人の皮膚の上に２個のローラを介してマッサージ器を動かす時、少なくとも一方のローラが所定の回転方向に回転駆動される２個のローラを具え、更に、これ等２個のローラの区域にあって吸引空間を包囲している吸引室であって、人の皮膚にこれ等ローラを加えた時、人の皮膚に向く区域にこの吸引室が開放しており、人の皮膚をこの吸引室に引き入れて皮膚の隆起部を形成するため人の皮膚にこれ等ローラを加えた時、吸引室内に負圧を発生させるポンプに空気移送管を介して連通している吸引室を具えるマッサージ器に関するものである。
頭書に明記した形式のマッサージ器は例えば米国特許第4729368号から既知である。この既知のマッサージ器においては、マッサージ器に設けた手動の電気スイッチにより、ローラ駆動装置のローラ駆動モータ、及びポンプ、即ちポンプモータの両方をオン、オフしている。この結果、この既知のマッサージ器の作動に関し、電気スイッチを作動させるとマッサージ器のローラは常に駆動されているから、マッサージ器を人の皮膚の上に設置すると、直ちにマッサージ器は人の皮膚の上を前後に移動するが、この移動が開始されても吸引室内にはまだ負圧が発生しておらず、従って既知のマッサージ器ではこの移動が始まってもマッサージ作用が得られない欠点がある。吸引室内の負圧が最低値に達するのに比較的長い時間を要するから、既知のマッサージ器を人の皮膚の上に設置した後、マッサージ作用が全く無いのに比較的長い時間が経過してしまう。このような状態のため、既知のマッサージ器の効率はあまり満足できなく、実際上、人の身体の或る区域は適切に、即ち心臓に向け適正にマッサージされない。
本発明の目的は上述の問題点を解決し、頭書に明記した形式のマッサージ器の改良されたマッサージ器を得るにある。本発明によれば、頭書に明記した形式のマッサージ器において、この目的を達成するため、空気移送管を介して前記吸引室に連通していて、負圧に応動し、その負圧の所定値に関して制御機能を遂行する制御装置を設け、前記吸引室内に所定の負圧が達成された時、前記ローラを駆動するローラ駆動装置を前記制御装置によって作動させるよう構成する。本発明マッサージ器によれば、マッサージ器を人の皮膚の上に設置した後、マッサージ器の吸引室内に所定の負圧が生ずるまではマッサージ器が人の皮膚の上を移動しないと言うことを低コストで達成することができる。これはマッサージ器の吸引室内にこのような所定の負圧が発生するまでは、負圧作動制御装置によってローラ駆動装置が始動せず、従って、所定の負圧が得られるまでは２個のローラの少なくとも一方のローラがモータ駆動されないためである。このようにすればローラによって人の皮膚の上にマッサージ器を動かし始めた直後にマッサージ作用が得られる利点がある。これは、マッサージ器を動かし始めた瞬間には、マッサージ器の吸引室内に既に所定の負圧が生じているため、皮膚の隆起部が既に形成されており、マッサージ器を人の皮膚の上に動かせば皮膚の隆起部が直ちに混練マッサージ作用を受けるためである。本発明マッサージ器の他の利点は、マッサージ器を人の皮膚の上に設置しても、マッサージ器の吸引室は皮膚に対して相対運動を行わないから、マッサージ器は最初、静止したままであることである。このことは更に、皮膚と吸引室との間を正しくシールすることとなり、従って比較的迅速な吸引室の排気を保証する利点を生ずる。
所定の作動方向にマッサージを行うため、本発明マッサージ器を人の皮膚の区域の上で動かした後、次に皮膚の上に再び設置するため、マッサージ器を皮膚から持ち上げることが必要である。本発明マッサージ器は吸引室によって皮膚に作用する吸引力に打ち勝って人の皮膚から持ち上げることができる。しかし、この場合、吸引室内の負圧が比較的高い状態で、吸引室を人の皮膚から持ち上げるのは人にとって不快であり、苦痛する感ずることに注意すべきである。従って、本発明マッサージ器において、空気移送負圧解除管を介して吸引室に連通する手動で操作する負圧解除弁装置を設け、吸引室内に発生している負圧を解除するため、負圧解除弁装置を作動させた時、吸引室によって包囲されている吸引空間が吸引室を包囲する大気に負圧解除弁装置によって連通され得るよう構成すれば、非常に有利であることが実証されている。このようにして、本発明マッサージ器によれば、マッサージ作用後、マッサージ器の吸引室内の負圧を解除して、マッサージ器を人の皮膚から容易に支障なく引き離すことができる。更に、上に説明した方法により、本発明マッサージ器の吸引室内の負圧を解除することによって、マッサージ器のローラ駆動モータを自動的に停止させることができ、次にローラが停止している間に、マッサージ器を人の皮膚に設置することができる利点を有する。
本発明マッサージ器においては、負圧解除管を通じて吸引室に連通しており相互に対向して配置された２個の空気弁を負圧解除弁装置に設け、マッサージ器のグリップ部材の両側に配置され、２個の空気弁の１個をそれぞれ開く作用を有する２個の作動素子をマッサージ器に設ければ特に有利であることが立証されている。このようにして、本発明マッサージ器の吸引室内の負圧を使用者の右手、及び左手で便利に、簡単に消滅させることができる。
上記のような全ての本発明マッサージ器においては、例えば、吸引室内の負圧に露出する圧力トランスジューサダイアフラムを具え、このダイアフラムに連結された連結ロッドのような作動部材を介して、このダイアフラムは例えば移動可能な歯車、又は駆動継手の継手部材のようなローラ駆動装置の一部を作動位置にセットし、その後、既にオンになっているローラ駆動モータを含むローラ駆動装置によって２個のローラの少なくとも１個を駆動することができるように、負圧作動制御装置を構成することができる。代案として、種々の構造に構成され、異なる作動を行う空気機械負圧スイッチによって負圧作動制御装置を形成することができる。しかし、モータ電源装置の一部を形成していて、例えば所定の負圧値で電気的切換え機能を遂行する電子空気負圧スイッチによって制御装置を構成し、吸引室内に所定値の負圧が生じた時、電子空気負圧スイッチによってローラ駆動モータをオンにし得るよう構成すれば特に有利であることが立証されている。この構造は特に簡単で非常に信頼性がある構造であるため有利であり、このような電子空気負圧スイッチは数種類のものが市販されており、比較的安価である付加的利点を有する。
上記のパラグラフに明確にした本発明マッサージ器においては、空気を移送するため吸引室に連通するポンプが好ましくない負圧の変動を発生し、その結果、特殊な方法を講じなければ負圧スイッチが反跳することがある。特殊な方法として、ポンプへの連結管に流量制御弁を設けてもよいが、流量制御弁は付加的な素子となる。このような付加的な素子を使用するのを避けるためには、負圧スイッチ、及びポンプのおのおのが別個の空気移送管を通じて吸引室に連通するようにすれば、上記のパラグラフに明記した本発明マッサージ器において非常に有利である。従って、吸引室内の空気容積は減衰質量体として作用し、ポンプによって生ずる負圧の変動を減衰させるため、吸引室自体を利用することができ、その結果、ポンプによって生ずるいかなる負圧の変動も、負圧スイッチの反跳を起こし得ない程度までに減衰させることができる。更に、これにより本発明によるこのようなマッサージ器の簡単で、簡潔な構造が得られ、比較的組立てが簡単になる。
しかし、吸引室を包囲する大気に、ポンプと吸引室との間の空気移送管を連結する空気送給管を設け、吸引室側の空気送給部を通じてポンプと吸引室との間の空気移送管に連通する制御可能な空気送給弁と、中心空気送給部を通じて制御可能な空気送給弁に連通すると共に吸引室の大気に連通する非制御空気送給弁とを空気送給管に設け、負圧スイッチは別個の空気移送管を通じて中心空気送給部に連通しているように構成すれば有利であることも立証されている。このような実施例は、希望すれば種々の負圧設定値にすることができる希望負圧値が吸引室内に得られたまさにその瞬時に、負圧スイッチがその切換え機能を遂行する利点を有する。
上述のパラグラフに明記した本発明マッサージ器においては、更に、吸引室側の空気送給部を吸引室の大気に連結する負圧解除管と、この負圧解除管に連通する手動操作する負圧解除弁装置とを設ければ有利であることが立証されている。このような解決策は実際上、簡単で好ましいことが立証されている。
本発明マッサージ器においては、ローラ駆動モータのためのモータ電源装置の一部を形成している電子空気負圧スイッチはローラ駆動モータによって駆動されるローラの過大な制動の結果としてモータ電流が所定限界値を越えると制御情報を発生し供給するモータ電流制御装置を具え、この制御情報が現れた時、ローラ駆動モータをオフにすることができ、モータ電流制御装置に接続されたモータオフ装置をモータ電流制御装置が具える。この構造により、ローラ駆動モータによって駆動され得るローラの過大な制動の結果としてのローラ駆動モータの損傷、又は破壊を防止することができ、ローラ駆動モータによって駆動され得るローラの過大な制動に起因する皮膚の損傷を防止することができる。
本発明の上述の要旨、及びその他の要旨を次に記載する例示の実施例により明らかにする。
本発明を限定しない３個の例示の実施例を示す図面を参照して本発明を一層詳細に説明する。
図１は２個の回転駆動可能なローラと、これ等２個のローラ間に配置された２個の縦壁、及び２個の横壁を有する吸引室とを具える本発明の第１実施例のマッサージ器を示す下から見た斜視図である。
図２は特に２個の回転駆動可能なローラを駆動するローラ駆動装置を線図的に示し、中心を通る断面で図１のマッサージ器の変形を示す。
図３は負圧解除弁装置を含み、マッサージ器の吸引室内に負圧を発生し、この負圧に作用する手段を特に示し、図２の断面の反対側の断面で図１のマッサージ器の変形を示す。
図４は図３に示すマッサージ器の負圧解除弁装置の断面図である。
図５はローラ駆動装置のローラ駆動モータをオンにし、オフにする電子空気負圧スイッチを含み、図３に示すマッサージ器の吸引室に設けられた手段を線図的に示す。
図６は電子空気負圧スイッチを含み、ローラ駆動装置のローラ駆動モータのためのモータ電源装置の回路線図である。
図７は電子空気負圧スイッチを含み、本発明の第２実施例のマッサージ器の吸引室内に設けた手段を示す図５に類似する図面である。
図８は電子空気負圧スイッチ、及びモータ電流制御装置を含み、本発明マッサージ器のローラ駆動装置のローラ駆動モータのためのモータ電源装置の回路線図である。
図１〜図６を参照して本発明を実施するマッサージ器１を以下説明する。
このマッサージ器１はグリップ部材３を有するハウジング２を具え、このグリップ部材３の自由端はほぼ楕円形の端部４に変化するが、この端部４は手の指で握ることができる。端部４はこのグリップ部材３の２個の両側、即ちグリップ部材３の端部４の２個の側面の位置にそれぞれ押ボタン５、６を有する。各押ボタン５、６は図３、及び図４に示す真空解除弁装置７の空気弁を開く作用をする。この真空解除弁装置７を次に一層詳細に説明する。
軸線９の周りに回転可能である回転ノブ１０はハウジング２の一部８から突出する。回転ノブ１０をオフ位置からオン位置にセットすることができ、次に連続的にオン位置から種々の設定位置にセットすることができる。回転ノブ１０をそのオフ位置からそのオン位置にセットした時、このマッサージ器１のポンプ、即ちポンプモータはスイッチオンとなり、更にローラ駆動モータのためのモータ電源装置を作動させる。これについては以下に一層詳細に説明する。マッサージ器１の吸引室内に所定の負圧が達成されるまでは、ローラ駆動モータは実際上作動しない。所定の負圧が達成されたことを電子空気負圧スイッチによって検出し、以下に一層詳細に説明するように吸引室内の所定の希望する負圧を検出した時、ローラ駆動モータをオンにする。回転ノブ１０をそのオン位置から種々の設定位置に回転することによって、制御可能な負圧制御弁を種々の負圧値に設定し、この制御可能な負圧制御弁によってマッサージ器１の吸引室内の種々の負圧値の負圧を得ることができる。
更に、マッサージ器１は吸引室支持体１１を具える。図示しない方法により吸引室支持体１１をマッサージ器１の支持装置１２に固着する。この支持装置１２をハウジング２内に取り付け、その結果、吸引室支持体１１もハウジング２に固着される。
マッサージを行うため、図１〜図３に矢印１３に示すように所定の作動方向に、人の身体の一部の上に、即ち人の身体の一部を覆う皮膚の上にこのマッサージ器１を動かすことができる。
このマッサージ器１は更に２個のローラ１４、１５を具える。２個の相互に離間する平行なローラ軸線１６、１７の１個の周りに２個のローラ１４、１５のおのおのを回転可能にする。２個のローラ１４、１５を回転自在に支持するため、支持装置１２に２個の支持壁１８を設け、図３にその一方の支持壁１８を図示する。この支持壁１８に２個の軸受孔を設け、軸線１６、１７を具体化するローラスピンドルをこれ等軸受孔に回転自在に支持する。図３に点線で線図的に示した人の皮膚２１上に２個のローラ１４、１５をその周面１９、２０によって設置することができる。ローラの軸線１６、１７の横方向に延びる作動方向１３の方向に、人の皮膚２１の上にこのマッサージ器１、及びその２個のローラ１４、１５を動かしている間、２個のローラ１４、１５を所定の回転方向にそれぞれ駆動することができる。このマッサージ器１においては、図２、及び図３に２個の矢印２２、２３によって示すように各２個のローラ１４、１５はそれぞれ同一方向に駆動される。
このマッサージ器１においては、２個のローラ１４、１５をモータで駆動する。この目的のため、図２にマッサージ器１の一変形について非常に線図的に示すように、マッサージ器１にローラ駆動装置２４を設ける。このローラ駆動装置２４は支持装置１２に取り付けられたローラ駆動モータ２５を具える。このローラ駆動モータ２５の称呼速度は約8000rpmである。このローラ駆動モータ２５によってモータ軸２６を介して第１歯車２７を駆動する。この第１歯車２７は第２歯車２８に噛合する。この第２歯車２８はスピンドル２９によって支持装置１２に回転自在に支持されている。第２歯車２８は第３歯車３０に対し同軸であり、第３歯車３０と共に回転するようこの第３歯車３０にロックされている。この第３歯車３０は第４歯車３１に噛合する。この第４歯車３１はスピンドル３２によって支持装置１２に回転自在に支持されている。第４歯車３１は第５歯車３３に同軸であり、第５歯車３３と共に回転するようこの第５歯車３３にロックされている。この第５歯車３３は第６歯車３４に噛合する。この第６歯車３４は第２歯車２８と同軸であり、同一の直径を有する。第６歯車もスピンドル２９によって支持装置１２上に回転自在に支持されている。第６歯車３４は第７歯車３５に同軸であり、第７歯車３５と共に回転するようこの第７歯車３５にロックされている。この第７歯車３５は第８歯車３６に噛合しており、この第８歯車３６は図２に図示していないスピンドルによって支持装置１２に回転自在に支持されている。第８歯車３６は第９歯車３７に噛合しており、この第９歯車３７はローラ１４と同軸であり、ローラ１４と共に回転するようこのローラ１４にロックされている。また第８歯車３６は第１０歯車３８に噛合しており、この第１０歯車３８はローラ１５と同軸であり、ローラ１５と共に回転するようこのローラ１５にロックされている。上述のローラ駆動装置２４によって、２個のローラ１４、１５をローラ駆動モータ２５によって所定の回転方向２２、２３の方向に回転させることができ、両方のローラ１４、１５は約50rpmの速度で駆動される。
図３において、このマッサージ器１においては、所定の作動方向１３の方向に見て前方にある前部ローラ１４は全体を比較的硬質の材料で造り、ローラ１４の円周面１９が０ミクロンと２ミクロンの表面粗さ範囲を有するのが好適であることを２個のローラ１４、１５に関し注意すべきである。作動方向１３の方向に見て後方にある後部ローラ１５の内部も比較的硬質の材料で造り、この内部を比較的軟質の材料のシェルによって包囲し、後部ローラ１５の円周面２０を前部ローラ１４の円周面１９より一層粗い表面にする。後部ローラ１５の円周面２０はほぼ３ミクロン〜６ミクロンの範囲にある。
このマッサージ器１は更に、２個のローラ１４、１５の区域に吸引空間を画成する吸引室３９を有する。この吸引室３９はローラの軸線１６、１７にほぼ垂直に延びる２個の横壁４０、４１と、これ等ローラの軸線１６、１７に平行に延び２個の横壁４０、４１に連結される２個の縦壁４２、４３と、２個の横壁４０、４１、及び２個の縦壁４２、４３の両方に連結されるカバー壁４４とを有する。ローラ１４、１５を人の皮膚２１に加えた時、吸引室３９は人の皮膚２１に向く区域に開放している。各２個の縦壁４２、４３はローラ１４、１５の円周面１９、２０に隣接して自由端４５、４６を有する。ローラの軸線１６、１７の方向に見て、この自由端はその中心部のみがほぼ直線状であり、２個のローラの軸線１６、１７にほぼ平行に延在するがその２個の端部で湾曲した形状である。
特に図５から明らかなように、吸引室３９は２個の並置された連結管４７、４８を有する。第１連結管４７によって、図３に示し、図５に線図的に示した第１空気移送管４９を通じて吸引室３９はポンプ５０に連通する。このポンプ５０はマッサージ器１内に収容され、支持装置１２に取り付けられている。ポンプ５０は図５に示した空気ポンプ装置５２を駆動するポンプモータ５１を具え、このポンプモータ５１はポンプ５０の一部を形成している。この場合には、第１連結管４７とポンプ５０、即ちその空気ポンプ装置５２との間の第１空気移送管４９は第１連結管４７に嵌着した第１ホース部５３と、この第１ホース部５３に連結された第１Ｔ継手５４と、第２ホース部５５とを具える。この第２ホース部５５は第１Ｔ継手５４と、図３には図示しないポンプ連結部、従ってポンプ５０の空気ポンプ装置５２とに連結されている。図５に示す回転ノブ１０を回転することによって、ポンプモータ５１をそのオフ位置からオン位置に切り換えると、回転ノブ１０はそのオン位置にあって電気スイッチ５６を閉じ、その結果、ポンプモータ５１は空気ポンプ装置５２を駆動する。ローラ１４、１５を人の皮膚２１に加えると、ポンプ５０は吸引室３９内に負圧を発生させることができ、図３に点線にて、図５に実線にて線図的に示すように、皮膚の隆起部５７を吸引室３９内に引き入れる。
このマッサージ器１において、図４に詳細に示す上述の真空解除弁装置７は第３ホース部５８を介して第１Ｔ継手５４に連結されている。負圧解除弁装置７は相互に対向して配置された２個の空気弁５９、６０を具える。図３には一方の空気弁６０を示す。真空解除弁装置７は貫通孔６２を有する弁体６１を具える。この貫通孔６２の一端は第１空気弁５９によって閉じることができ、他端は第２空気弁６０によって閉じることができる。空気の移送のため、貫通孔６２は弁体６１の連結管６３に連通している。第３ホース部５８を連結管６３に嵌着する。第１枢着支持体６４によって、第１作動レバー６５を、また、第２枢着支持体６６によって、第２作動レバー６７を弁体６１上に回動可能に取り付ける。第１作動レバー６５はその端部６８の位置に第１空気弁５９を支持する。第２作動レバー６７はその端部６９の位置に第２空気弁６０を支持する。第１作動レバー６５はその他端７０に第１押ボタン５を支持する。第２作動レバー６７はその他端７１に第２押ボタン６を支持する。それぞれの作動レバー６５、６７の突起７２、７３に取り付けられた圧縮ばね７４はこれ等２個の作動レバー６５、６７間に作用し、２個の空気弁５９、６０をその閉塞位置に保持する傾向がある。第１押ボタン５の操作により、第１空気弁５９を開くことができる。第２押ボタン６の操作により、第２空気弁６０を開くことができる。２個の空気弁５９、６０の少なくとも一方を開く時、ポンプ５０によって吸引室３９内に予め形成されていた負圧は、第３ホース部５７、第１Ｔ継手５４、第１ホース部５３、及び第１連結管４７によって形成された空気移送負圧解除管を経て消滅する。このことは吸引室３９、即ちマッサージ器１を人の皮膚２１から容易に苦痛無く取り外すことができるので有利である。
このマッサージ器１においては、第２空気移送管７５を吸引室３９の第２連結管４８に連結する。この第２空気移送管７５は吸引室３９の第２連結管４８に嵌着された第４ホース部７６と、第４ホース部７６に連結された第２Ｔ継手７７と、第２Ｔ継手７７、及び負圧制御弁７９に連結された第５ホース部７８とを具える。回転ノブ１０をそのオフ位置からその種々の設定位置の１つに適切に回転することによって、負圧制御弁７９により吸引室３９内に希望する負圧値の負圧を選択することができる。ポンプ５０のポンプ作用によってマッサージ器１の吸引室３９内に発生し得る負圧がまだ所定値に到達していない限り、負圧制御弁７９はその閉塞位置にある。しかし、吸引室内の希望する負圧が超過する値になると、負圧制御弁７９は自動的に開き、吸引室３９内に希望する負圧が確立するまで、空気移送管７５を通じて吸引室３９内に空気を送給する。
マッサージ器１はこのマッサージ器１の吸引室３９内の負圧に応動する制御装置を具える。この制御装置は所定の負圧値に関して制御機能を遂行し、この制御装置は空気移送管を通じて吸引室３９に連通しており、吸引室３９内の負圧が所定値に達すると、この制御装置は図５に鎖線にて線図的に示すローラ駆動装置２４を作動させることができる。この制御装置を構成している電子空気負圧スイッチ８０は第６ホース部８１を通じて第２Ｔ継手７７に連結されている。負圧の所定値に関して、負圧スイッチ８０は電気スイッチの機能を遂行する。負圧スイッチ８０は例えば約８０ミリバールの所定負圧値で電気スイッチの機能を遂行する。この負圧スイッチ８０はダイアフラムにより形成され第６ホース部８１に接続された圧力トランスジューサ８２と、鎖線にて示した線８３を通じて圧力トランスジューサ８２によって作動することができる電気スイッチ８４とを具える。このマッサージ器１においては、この真空スイッチ８０はローラ駆動モータ２５のためのモータ電源装置８５の一部を形成しており、このモータ電源装置は図５に線図的にブロックで示し、図６に詳細に示した。真空スイッチ８０はローラ駆動モータ２４をオンにすることができ、吸引室３９内の負圧が所定値に達した時、その電気スイッチを閉じる。
図５に簡単に示し、図６に詳細に示したモータ電源装置８５は回転ノブ１０をそのオフ位置からそのオン位置に回転することによって作動させることができ、回転ノブ１０のオン位置では＋Ｖの供給電圧に接続された電気スイッチ８６を閉じている。モータ電源装置８５の作動状態、即ち電気スイッチ９６が閉じていて、このマッサージ器１の吸引室３９内の負圧が所定値に達した時、負圧スイッチ８０の電気スイッチ８４は閉じる。このようにして、モータ電源装置８５の制御情報が発生し、第１トランジスタ８８のベース電圧除算器８７を大地電位に接続し、その結果、第１トランジスタ８８をオンにする。この導電第１トランジスタ８８は他のベース電圧除算器８９を＋Ｖの供給電圧に接続し、その結果、第２トランジスタ９０をオンにする。この第２トランジスタ９０は第３トランジスタ９１のベース回路に含まれており、第３トランジスタ９１はそのエミッタコレクタ回路にローラ駆動モータ２５を直列に配置している。第２トランジスタ９０に電流を流すと、第３トランジスタ９１にも電流が流れ、その結果、ローラ駆動モータ２５がオンになり、従ってローラ駆動装置２４によってマッサージ器１の２個のローラ１４、１５を駆動する。
マッサージ器１の使用者が負圧解除弁装置７の２個の空気弁５９、６０の１個を開くや否や、その結果として吸引室３９が周囲の空気に連通し、吸引室３９内の負圧が消滅し、このことは電子空気負圧スイッチ８０によって直ちに検出され、負圧スイッチ８０の電気スイッチ８４を開き、第１トランジスタ８８、第２トランジスタ９０、そして最後に第３トランジスタ９１をカットオフし、その結果、ローラ駆動モータ２５を停止させ、マッサージ器１の２個のローラ１４、１５を、も早駆動しない。
上述の方法により、低いコストで次のことを達成できる。即ち、図１〜図６に示すマッサージ器１のローラ１４、１５を人の皮膚２１の上に設置した後、マッサージ器１の吸引室３９内の負圧が所定値に達するまでは、マッサージ器１を人の皮膚２１の上に動かさない。これはマッサージ器１の吸引室３９内に負圧が所定値に達するまでは負圧作動制御装置を形成する電子空気負圧スイッチによってローラ駆動装置２４を作動させず、即ち所定の負圧が達成されるまでは２個のローラ１４、１５はモータで駆動されないからである。このことはローラ１４、１５によって人の皮膚２１上にマッサージ器１を動かし始めた直後にはマッサージ作用が得られているという利点がある。これは、ローラを動かし始めた瞬間には、マッサージ器１の吸引室３９内に既に所定の負圧が生じている結果、吸引された皮膚の隆起部５７が既に形成されており、従ってマッサージ器１を人の皮膚２１上に動かせば、皮膚の隆起部は混練マッサージ作用を受けるからである。また、図１〜図６に示すマッサージ器の他の利点は、マッサージ器を人の皮膚２１に設置した後、最初はこのマッサージ器１は静止したままであり、その結果、マッサージ器１の吸引室３９は皮膚２１に対する相対運動を行わないから、皮膚２１と吸引室３９との間が正しくシールされ、従って、吸引室３９を比較的迅速に排気し、負圧の発生を保証することである。負圧解除弁装置７を設けるから、図１〜図６に示すマッサージ器の場合には、マッサージが終わった後、マッサージ器１の吸引室３９内の負圧を除去すると、マッサージ器１を人の皮膚２１から容易に障害なく取り外すのを有利に行うことができる。更に、吸引室３９内の負圧を除去することによってローラ駆動モータ２５を自動的に停止させ、ローラ１４、１５を静止させたまま、次にマッサージ器１を人の皮膚２１上に設置することができる利点が得られる。グリップ部材４の両側に２個の押ボタン５、６を設けることによって、使用者の右手、及び左手により便利に、簡単にマッサージ器１の吸引室３９内の負圧を消滅させるのを有利に達成することができる。マッサージ器１のポンプ５０、及び負圧スイッチ８０がそれぞれ別個の空気移送管、及び２個の別個の連結管４７、４８を介して吸引室３９に連通しているから、吸引室３９内の空気の容積が減衰質量体として作用し、この作用により、負圧スイッチ８０の反跳を引き起こさない程度までポンプ５０による負圧の変動を減衰させる利点が得られる。
本発明マッサージ器１の第２実施例を図７に線図的に示す。図７に示すマッサージ器１においては、吸引室３９は唯１個の連結管９２を有する。吸引室３９、即ちその連結管９２は空気移送管９３を通じてポンプ５０に連通している。この場合、ポンプ５０と吸引室３９との間の空気移送管９３は連結管９２に嵌着された第１ホース部９４と、十字継手９５の一部と、ポンプ５０の空気ポンプ装置５２に連結された第２ホース部９６とを具える。
図７に示すマッサージ器においては、空気送給管９７は吸引室３９を包囲する周囲の空気に、ポンプ５０と吸引室３９との間の空気移送管９３を連結する。空気移送管９７は吸引室側に空気送給部９８を具える。この空気送給部９８は十字継手９５に連結された第３ホース部によって形成されており、空気の流通のための制御可能な空気送給弁９９にこの空気送給部９８は連結されている。中心空気送給部１００は制御可能な空気送給弁９９に連結されており、第４ホース部１０１と、この第４ホース部１０１に連結されたＴ継手１０２と、このＴ継手１０２に連結された第５ホース部１０３とを具える。非制御空気送給弁１０４は中心空気送給部１００に連通し、吸引室３９の周囲の空気に連通している。負圧スイッチ８０はＴ継手１０２、及び第６ホース部１０５を通じて中心空気送給部１００に連通する。
更に、図７に示すマッサージ器は負圧解除管１０６を具える。この負圧解除管１０６は基本的に第７ホース部によって形成されており、吸引室側における空気送給部９８を吸引室３９の周囲の空気に連結する。手動で操作される真空解除弁装置７は負圧解除管１０６に連通する。
非制御空気送給弁１０４に関しては、この空気送給弁１０４は、ほぼ１００ミリバールの負圧で開くことに注意すべきである。制御可能な空気送給弁９９は零と２００ミリバールとの間の範囲内で調整可能である。このため、吸引室３９内の負圧は１００ミリバールから３００ミリバールの希望する範囲に調整可能である。
図７に示すマッサージ器１の作動を一層詳細に次に説明する。
図７のマッサージ器１を人の皮膚２１上に設置した時、吸引室３９内の負圧は選択された値まで生ずる。この選択された値に達すると、これにより２個の空気送給弁９９、１０４を同時に開く。２個の空気送給弁９９、１０４が同時に開いた瞬間に、非制御空気送給弁１０４はほぼ１００ミリバールの負圧で開放するから、中心空気送給部１００内に１００ミリバールの負圧が突然生ずる。中心空気送給部１００内に突然生じた１００ミリバールの負圧は負圧スイッチ８０によって検出される。図７のマッサージ器１では、この真空スイッチ８０もほぼ８０ミリバールの負圧で作動する。非制御空気送給弁１０４に起因し、中心空気送給部１００内の負圧は常に１００ミリバール、即ち８０ミリバールの作用負圧値の下に２０ミリバールと言う明確な値にあるから、負圧スイッチ８０は図７のマッサージ器１の吸引室３９内に希望する負圧に達したことを非常に信頼性あるように検出することを保証するものである。図７のマッサージ器１は、制御可能な空気送給弁９９によって種々の値に設定し得るマッサージ器１の吸引室３９内の希望する負圧に達した時、負圧スイッチ８０はその切換え機能のみを遂行する利点がある。
図７に示すマッサージ器１においては、負圧スイッチ８０の電気スイッチ８４によって発生する制御情報と無関係にローラ駆動モータ２５も切り替わる。
マッサージ作用が終わった後、図７のマッサージ器１が人の皮膚２１から容易に苦痛なく持ち上げることができるようにするため、図７のマッサージ器１も負圧解除弁装置を具え、図７のマッサージ器１においてもこの負圧解除弁装置は図７には図示しないが相互に対向して配置された２個の空気弁を具える。しかし、代案として負圧解除弁装置に単一の空気弁を設けてもよい。負圧解除弁装置７を作動させた時、吸引室３９によって画成された吸引空間は、第１ホース部９４、十字継手９５の一部、及び第７ホース部により形成された負圧解除管１０６を通じて吸引室３９の大気に連通し、この結果、吸引室３９内の負圧は消滅する。
図７のマッサージ器１においては、これは非常に稀に発生することであるが、負圧解除弁装置７の作動後、即ち吸引室３９内の吸引空間内の負圧が消去され、即ち負圧が解除された後、両方の空気弁９９、１０４が正確に同一瞬時に閉じる状態が発生することがあり、その結果、中心空気送給部１００内に予め生じていた負圧を閉じ込め、吸引室３９内に、も早、負圧が存在しないにも拘らず、負圧スイッチ８０を通じてローラ駆動モータ２５は付勢されたままに留まる。この稀ではあるが起こり得る状態を防止するため、図７に示すマッサージ器１では真空解除管１０６を形成する第７ホース部と第６ホース部１０５との間に、第８ホース部によって形成され図７に破線にて示す空気移送管１０７を配置することができる。
図７のマッサージ器１に関し、このマッサージ器１の吸引室３９は同様に２個の別個の連結管を有し、この場合、図１〜図６に示すマッサージ器１に類似し、ポンプ５０、及び負圧解除弁装置７はこれ等連結管の１個に連結されており、吸引室側に空気送給部を形成するホース部を介して、制御可能な空気送給弁９９と、この空気送給弁、及び他の空気移動管を介して、制御できない空気送給弁１０４と、負圧スイッチ８０とを他の連結管に連結する。
図８は本発明マッサージ器１の第３実施例のモータ電源装置８５のみを示す。負圧スイッチ８０とローラ駆動モータ２５との間にあるモータ電源装置８５の一部は図１〜図６のマッサージ器１の一部を形成している図６に示すモータ電源装置８５とほぼ同一の構造である。
しかし、図８のマッサージ器１のモータ電源装置８５は更にモータ電流制御装置１０８を具え、ローラ駆動モータ２５によって駆動されるローラが過大な制動作用を受けた結果、ローラ駆動モータ２５のモータ電流が所定の限界値を超過すると、モータ電流制御装置１０８は制御情報を発生し、供給する。更に、モータ電源装置８５はモータ電流制御装置１０８に接続されたモータオフ装置１０９を具え、モータ電流制御装置１０８によって制御情報が供給された時、このモータオフ装置１０９によってローラ駆動モータ２５をオフにすることができる。
このモータ電流制御装置１０８は第３トランジスタ９１に直列に配置された検知抵抗体１１０を具え、ローラ駆動モータ２５のモータ電流に比例する電圧ＵMがこの検知抵抗体１１０の前後に現れる。この電圧ＵMは遅延時間を生ずる低域フィルタ１１１を経て第１比較器１１３の逆相入力端子１１２に加えられる。ダイオードＤRによって得られる基準電圧ＵRを第１比較器１１３の正相入力端子１１４に加える。ローラ駆動モータ２５の始動電流が偶然にローラ駆動モータ２５をオフにすることがないようにするため、低域フィルタ１１１によって得られる上記遅延時間が必要である。ローラ駆動モータ２５がオンでない限り、即ちローラ駆動モータ２５のモータ電流が許容値以下である限り、電圧ＵMに対応する電圧として逆相入力端子１１２に現れる電圧は基準電圧ＵRより低く、その結果、第１比較器１１３の出力端子１１５は高電位である。第１比較器１１３の出力端子１１５は第４トランジスタ１１６をドライブし、この第４トランジスタによっ
て抵抗器１１７を介してコンデンサ１１８の充電放電プロセスに影響を与えることができる。コンデンサ１１８は第４抵抗器１１９を通じて放電することができる。抵抗器１１７とコンデンサ１１８との間の接続点を抵抗器１２０を介して第２比較器１２２の正相入力端子１２１に接続する。この第２比較器１２２も線１２４を通じて逆相入力端子１２３に基準電圧ＵRを受ける。第２比較器１２２の出力端子１２５もモータ電流制御装置１０８の出力端子を形成している。ローラ駆動モータ２５のモータ電流が所定の限界値を超過した時、モータ電流制御装置１０８は第２比較器１２２の出力端子１２５に制御情報を発生する。第２比較器１２２の出力端子１２５は第５トランジスタ１２７のベース端子に接続されており、この第５トランジスタ１２７はモータオフ装置１０９の必須の構成部分を形成している。第５トランジスタ１２７のコレクタ端子１２８は分圧器８９のセンタタップ１２９に接続されている。
図８のマッサージ器１のローラ駆動モータ２５のモータ電流が所定の限界値を超過し、検知抵抗体１１０の前後に現れる電圧ＵMも同様に所定の限界値を超過した時、電圧ＵMに対応して第１比較器１１３の逆相入力端子１１２の電圧も第１比較器１１３の正相入力端子１１４に現れる基準電圧ＵRを超過し、その結果、第１比較器１１３の出力端子１１５には低電圧を生ずる。この結果、第４トランジスタ１１６は導電状態にドライブされ、そのためコンデンサ１１８は抵抗体１１７を通じて迅速に充電される。コンデンサ１１８の前後の電圧ＵCが所定の限界値を超過し、この場合、第２比較器１２２の正相入力端子１２１に現れる電圧も第２比較器１２２の逆相入力端子１２３に現れる基準電圧ＵRを超過するや直ちに、第２比較器１２２の出力端子１２５に高い電位を生ずる。この結果、第５トランジスタ１２７は導電状態にドライブされ、そのため第２トランジスタ９０と第３トランジスタ９１とを共にオフにする。このことは、ローラ駆動モータ２５の回路を中断し、従ってローラ駆動モータ２５をオフにすることを意味する。
ローラ駆動モータ２５がオフになった後は、電圧ＵMは第１比較器１１３の逆相入力端子１１２に、も早、現れず、その結果、第１比較器１１３の出力端子１１５は高電位となる。この結果、第４トランジスタ１１６はカットオフされ、コンデンサ１１８は他の抵抗体１１９を通じて放電することができる。コンデンサ
１１８は放電するから、このコンデンサ１１８の前後の電圧ＵC、従って第２比較器１２２の正相入力端子１２１の対応する電圧が低くなる。第２比較器１２２の正相入力端子１２１の電圧が基準電圧ＵRより低くなると、直ちに第２比較器１２２の出力端子１２５は低電位になり、その結果、第５トランジスタ１２７はカットオフされ、その結果として、第２トランジスタ９０、及び第３トランジスタ９１を再びオンにする。従って、コンデンサ１１８の放電プロセスの所定の放電時間後は、ローラ駆動モータ２５を再びオンにし、マッサージ器１のローラに過大な制動作用が加わらなければ、ローラ駆動モータ２５は付勢された状態に留まる。しかし、ローラ、従ってローラ駆動モータ２５に過大な制動作用が加わる原因がなお残存していればローラ駆動モータ２５を再びオフにする。
図８に示すようなマッサージ器１にモータ電流制御装置１０８、及びモータオフ装置１０９を設けることによって、ローラ駆動モータ２５、又はこのモータによって駆動されるローラ駆動装置が、このローラ駆動装置を介してローラ駆動モータ２５によって駆動されるローラの過大な制動の結果として破損し、又は破壊することがなく、更に、ローラ駆動モータ２５によって駆動されるローラの過大制動に起因して、人の皮膚の損傷を防止することができる利点がある。
本発明は上述の実施例に限定されない。本発明の要旨は異なる構造のマッサージ器にも有利に適用することができる。例えば、ローラ駆動モータによって回転駆動され得る２個のローラを具えるマッサージ器において、代案としてローラ駆動モータと２個のローラのおのおのとの間に相互に少なくとも一部独立した独立駆動伝動装置を設け、マッサージ器の所定の作動方向に見て後部のローラより一層早い速度で前部のローラを駆動することも可能であり、この構造によって後部のローラによって皮膚、又は組織を吸引室の外へ動かす速さよりも、後部のローラより一層早く駆動される前部のローラによって皮膚、又は組織を吸引室内に一層早く送り込む傾向を生ぜしめ、このマッサージ器の吸引室内に引き入れる皮膚の隆起部を形成する作用における２個のローラを助けるようにする。本発明マッサージ器においては、ローラ駆動装置によって２個のローラの一方のみを駆動し得るようにすることもできる。
【図１】
0004083225.tif 000002
【図２】
0004083225.tif 000003
【図３】
0004083225.tif 000004
【図４】
0004083225.tif 000005
【図５】
0004083225.tif 000006
【図６】
0004083225.tif 000007
【図７】
0004083225.tif 000008
【図８】
0004083225.tif 000009